(57)【要約】【課題】デジタル放送の受信を妨害することなく、効率的に搬送波を送信することができるデジタル放送受信装置を提供する。【解決手段】本発明の携帯通信装置は、ワンセグＴＶを受信することができるものであり、ワンセグＴＶの音声信号を周波数変調し送信するＦＭトランスミッタ２２と、ワンセグＴＶが受信可能なチャンネルの情報であるチャンネル情報７１と高調波妨害情報テーブル７２とに基づき、ワンセグＴＶを受信できるチャンネルに割り当てられた周波数範囲を妨害しないＦＭトランスミッタ２２の送信周波数を選択する周波数選択部６２とを備える。【選択図】図１
2008099216.tif 000002
【特許請求の範囲】
【請求項１】
地上デジタル放送の放送波であるデジタル放送波を受信するデジタル放送受信装置であって、
所定の周波数範囲における任意の送信周波数で周波数変調した搬送波を送信する送信部と、
上記デジタル放送波を受信している地域において該デジタル放送を受信可能とするチャンネルの情報であるチャンネル情報と、各チャンネルに割り当てられた周波数範囲と該周波数範囲を妨害する上記送信周波数との対応関係を示す妨害情報とに基づき、デジタル放送波を受信できるチャンネルに割り当てられた周波数範囲を妨害しない送信周波数を、上記所定の周波数範囲から選択する選択手段とを備え、
上記送信部は、上記選択手段によって選択された送信周波数で上記搬送波を送信することを特徴とするデジタル放送受信装置。
【請求項２】
上記デジタル放送波を受信できるチャンネルを検索し、この検索結果に基づき上記チャンネル情報を生成する生成手段をさらに備えることを特徴とする請求項１に記載のデジタル放送受信装置。
【請求項３】
上記選択手段によって選択された送信周波数に関する送信周波数情報を出力する出力制御手段と、
上記出力制御手段によって出力した送信周波数情報を参照してユーザが決定した送信周波数の情報を受け付け、この受け付けた送信周波数で搬送波を送信するように上記送信部に指示する送信指示手段とを備えることを特徴とする請求項１または２に記載のデジタル放送受信装置。
【請求項４】
上記搬送波を送信する送信周波数の入力を受け付ける受け付け部と、
上記受け付け部によって受け付けた送信周波数が、上記選択手段によって選択された送信周波数と一致しない場合、該受け付けた送信周波数とは異なる送信周波数の入力を促すよう出力制御する出力制御手段と、を備えることを特徴とする請求項１または２に記載のデジタル放送受信装置。
【請求項５】
上記選択手段によって選択された送信周波数のうちのいずれか１つの送信周波数で搬送波を送信するように上記送信部に指示する送信指示手段をさらに備えることを特徴とする請求項１または２に記載のデジタル放送受信装置。
【請求項６】
上記送信部は、所定の周波数範囲における任意の送信周波数で周波数変調した音声信号の搬送波を送信することを特徴とする請求項１〜５のいずれか１項に記載のデジタル放送受信装置。
【請求項７】
請求項６に記載のデジタル放送受信装置と、
上記デジタル放送受信装置から送信された音声信号を受信し、該音声信号に基づき出力処理する出力装置とを備えることを特徴とするデジタル放送受信システム。
【請求項８】
地上デジタル放送の放送波であるデジタル放送波を受信するデジタル放送受信装置の制御方法であって、
所定の周波数範囲における任意の送信周波数で周波数変調した搬送波を送信する送信ステップと、
上記デジタル放送を受信している地域において該デジタル放送を受信可能とするチャンネルの情報であるチャンネル情報と、各チャンネルに割り当てられた周波数範囲と該周波数範囲を妨害する上記送信周波数との対応関係を示す妨害情報とに基づき、デジタル放送波を受信できるチャンネルに割り当てられた周波数範囲を妨害しない上記送信周波数を、上記所定の周波数範囲から選択する選択する選択ステップとを含み、
上記送信ステップでは、上記選択ステップにて選択された送信周波数で上記搬送波を送信することを特徴とするデジタル放送受信装置の制御方法。
【請求項９】
請求項１〜６のいずれか１項に記載のデジタル放送受信装置を動作させる制御プログラムであって、コンピュータを上記の各手段として機能させるためのデジタル放送受信装置の制御プログラム。
【請求項１０】
請求項９に記載のデジタル放送受信装置の制御プログラムを記録したコンピュータ読み取り可能な記録媒体。
【発明の詳細な説明】
【技術分野】
【０００１】
本発明は、地上デジタル放送の放送波であるデジタル放送波を受信するデジタル放送受信装置、デジタル放送受信装置の制御方法、デジタル放送受信システム、デジタル放送受信装置の制御プログラム、およびデジタル放送受信装置の制御プログラムを記録した記録媒体に関するものである。
【背景技術】
【０００２】
小さなスピーカを内蔵する携帯型音楽再生装置等から出力される音声を、より高音質で視聴することが所望される場面がある。従来、このように音声を高音質で視聴することが求められるこのような場面では、音声信号をＦＭ周波数に変調し、ＦＭラジオのラジオアンテナに送信させるＦＭトランスミッタが利用されている。
【０００３】
ところで、このＦＭトランスミッタによってＦＭ周波数に変調した音声信号の送出周波数を、ＦＭ放送の放送波の周波数帯を妨害しないように設定する必要がある。例えば、特許文献１では、１ＭＨｚ以上の帯域幅において、ＦＭ放送の放送波と混信しない、音声信号の送出周波数を複数設定できるＦＭトランスミッタ装置が開示されている。また、特許文献２では、ＦＭ放送局が自車位置を基準とする範囲に存在するか否かに応じて、ＦＭトランスミッタからのＦＭ信号の受信が妨害されないよう報知する車両用オーディオ装置が開示されている。また、特許文献３では、送出周波数の２次高調波がテレビジョンＶＨＦハイバンドより低く、かつＦＭ受信装置の局部発振周波数の３次高調波がテレビジョンＶＨＦハイバンド各チャンネルの映像搬送波より１．２５ＭＨｚ低くなるように選択したＦＭトランスミッタが開示されている。この特許文献３に示すＦＭトランスミッタでは、ＦＭ受信装置がテレビジョン装置に与える妨害を回避することができる。
【０００４】
しかしながら、これら特許文献１〜３それぞれは、本願のように地上デジタル放送波に対する妨害を考慮したものではない。
【０００５】
また、近年ではＦＭ放送波ではなくワンセグメント形式の放送信号を受信し、ＦＭトランスミッタを利用してオーディオ装置等に送信する装置も開発されている。
【特許文献１】特開平９−１３０６９９号公報（１９９７年５月１６日公開）
【特許文献２】特開２００６−１４０９８１号公報（２００６年６月１日公開）
【特許文献３】特開平６−４６３４３号公報（１９９４年２月１８日公開）
【発明の開示】
【発明が解決しようとする課題】
【０００６】
上記のように、ワンセグメント形式の放送信号を受信し、出力する音声をＦＭトランスミッタでオーディオ装置等に送信する構成の場合、ＦＭトランスミッタの高調波が、ワンセグメント形式の放送信号の受信を妨害してしまうという問題が生じる。つまり、ＦＭトランスミッタから送出される電波には、高次の高周波が含まれている。このため、この高調波が、例えばワンセグメント形式の放送波を干渉して受信妨害が生じるのである。
【０００７】
すなわち、ワンセグメント形式の放送信号の場合、図１１に示す１３セグメントのうちのワンセグ帯域に妨害を受けると、このワンセグ帯域は高感度であるため大きく映像が乱れるという特徴がある。これに対して、アナログ放送による放送信号の場合、図１２に示す６ＭＨｚの帯域全体において、少しでも妨害が生じると映像または音声に乱れが生じる。しかしながら、アナログ方式の放送信号は、上記した地上デジタル放送の放送信号よりも感度が低いため、この乱れは、地上デジタル放送のように大きなものとはならない。
【０００８】
つまり、上記ワンセグメント形式の放送信号と、上記アナログ方式の放送信号とを比較した場合、前者は後者よりも妨害となる周波数の帯域幅が小さいが、少しでもこの帯域に妨害を受けると映像が大きく乱れてしまう。このため、ワンセグメント形式の放送信号では、アナログ方式の放送信号では問題とならなかった高次の高調波までも考慮する必要がある。なお、図１１は、従来技術を示すものであり、ワンセグメント形式の放送波における１チャンネル分のチャンネル帯域の構成を示す図である。また、図１２は、従来技術を示すものであり、アナログ形式の放送波における１チャンネル分のチャンネル帯域の構成を示す図である。
【０００９】
ここで、上記高調波によるワンセグ帯域の干渉を防ぐため、ＦＭトランスミッタ側にバンドパスフィルタ（ＢＰＦ）を設け、ある程度の範囲でこの干渉による妨害を回避させる構成が考えられる。しかしながら、ＢＦＦを設けた構成では、上記した妨害を十分に防ぐことができないとともに、このＢＰＦを携帯電話機等に搭載する場合、密集度の高い回路設計を実現するには、該ＢＰＦの寸法が大きすぎるという問題がある。
【００１０】
本発明は、上記の問題点に鑑みてなされたものであり、その目的は、デジタル放送の受信を妨害することなく、効率的に搬送波を送信することができるデジタル放送受信装置、デジタル放送受信装置の制御方法、デジタル放送受信システム、デジタル放送受信装置の制御プログラム、およびデジタル放送受信装置の制御プログラムを記録した記録媒体を実現することにある。
【課題を解決するための手段】
【００１１】
本発明に係るデジタル放送受信装置は、上記した課題を解決するために、地上デジタル放送の放送波であるデジタル放送波を受信するデジタル放送受信装置であって、所定の周波数範囲における任意の送信周波数で周波数変調した搬送波を送信する送信部と、上記デジタル放送波を受信している地域において該デジタル放送を受信可能とするチャンネルの情報であるチャンネル情報と、各チャンネルに割り当てられた周波数範囲と該周波数範囲を妨害する上記送信周波数との対応関係を示す妨害情報とに基づき、デジタル放送波を受信できるチャンネルに割り当てられた周波数範囲を妨害しない送信周波数を、上記所定の周波数範囲から選択する選択手段とを備え、上記送信部は、上記選択手段によって選択された送信周波数で上記搬送波を送信することを特徴とする。
【００１２】
なお、上記所定の周波数範囲とは、例えば７６ＭＨｚ〜９０ＭＨｚなどＦＭ帯に割り当てられている周波数範囲である。各チャンネルに割り当てられた周波数範囲とは、例えばＵＨＦ帯１３ｃｈ〜６２ｃｈそれぞれに割り当てられた周波数範囲である。この各チャンネルに割り当てられた周波数範囲を妨害する送信周波数とは、例えば所定の周波数範囲に含まれる周波数で、その高次の高調波が上記各チャンネルに割り当てられた周波数範囲と重なるものである。
【００１３】
上記構成によると、上記選択手段を備えているため、上記チャンネル情報と上記妨害情報とに基づき、デジタル放送波を受信できるチャンネルに割り当てられた周波数範囲を妨害しない送信周波数を、上記所定の周波数範囲から選択することができる。
【００１４】
すなわち、デジタル放送を受信するために設定されたすべてのチャンネルにおいて妨害が生じない周波数のみならず、当該デジタル放送受信装置が所在する地域においてデジタル放送を受信できないチャンネルの周波数範囲を妨害する周波数も、送信周波数の候補として加えることができる。
【００１５】
このように、本発明に係るデジタル放送受信装置は、デジタル放送の受信を妨害しない送信周波数の候補をできるだけ多く提供することができるため、上記搬送波を送信するための送信周波数の選択の幅を広げることができる。
【００１６】
このため、例えば、上記送信部と同様な、搬送波を送信する他の装置が複数台周囲に存在する場合であっても、互いに妨害しないような送信周波数を容易に選択でき搬送波を効率的に送信することができる。
【００１７】
したがって、本発明に係るデジタル放送受信装置の制御方法は、デジタル放送の受信を妨害することなく、効率的に搬送波を送信することができるという効果を奏する。
【００１８】
また、本発明に係るデジタル放送受信装置は、上記した構成において、上記デジタル放送波を受信できるチャンネルを検索し、この検索結果に基づき上記チャンネル情報を生成する生成手段をさらに備えるように構成されていることが好ましい。
【００１９】
上記構成によると、生成手段を備えているため、本発明に係るデジタル放送受信装置が所在する地域において実際にデジタル放送波を受信できるチャンネルを調べることができる。
【００２０】
このため、デジタル放送波を受信できる各チャンネルを確実に妨害しない周波数を上記送信周波数の候補として選択することができる。
【００２１】
また、本発明に係るデジタル放送受信装置は、上記した構成において、上記選択手段によって選択された送信周波数に関する送信周波数情報を出力する出力制御手段と、上記出力制御手段によって出力した送信周波数情報を参照してユーザが決定した送信周波数の情報を受け付け、この受け付けた送信周波数で搬送波を送信するように上記送信部に指示する送信指示手段とを備えるように構成されていてもよい。
【００２２】
上記構成によると、出力制御手段を備えているため、搬送波を送信するために利用できる送信周波数の候補をユーザが把握することができる。また、送信指示手段を備えているため、ユーザが選択した送信周波数で上記搬送波を送信することができる。
【００２３】
また、本発明に係るデジタル放送受信装置は、上記した構成において、上記搬送波を送信する送信周波数の入力を受け付ける受け付け部と、上記受け付け部によって受け付けた送信周波数が、上記選択手段によって選択された送信周波数と一致しない場合、該受け付けた送信周波数とは異なる送信周波数の入力を促すよう出力制御する出力制御手段と、を備えるように構成されていてもよい。
【００２４】
上記構成によると、出力制御手段を備えているため、ユーザによって入力された送信周波数が、上記選択手段によって選択された送信周波数と一致しない場合、別の送信周波数の入力を促すことができる。
【００２５】
このため、ユーザが搬送波を送信するための送信周波数として、デジタル放送波の受信を妨害する周波数を選択することを防ぐことができる。
【００２６】
また、本発明に係るデジタル放送受信装置は、上記した構成において、上記選択手段によって選択された送信周波数のうちのいずれか１つの送信周波数で搬送波を送信するように上記送信部に指示する送信指示手段をさらに備えるように構成されていてもよい。
【００２７】
上記構成によると、送信指示手段を備えているため、選択手段によって選択した送信周波数の中から任意の送信周波数を選択し、該選択した送信周波数で搬送波を出力させることができる。このため、上記デジタル放送波の受信を妨害することなく適切な周波数で搬送波を送信することができる。
【００２８】
また、本発明に係るデジタル放送受信装置は、上記した構成において、上記送信部は、所定の周波数範囲における任意の送信周波数で周波数変調した音声信号の搬送波を送信してもよい。
【００２９】
上記構成によると、送信部は、音声信号を送信することができるため、この音声信号をより高音質なスピーカを備える音声出力装置等に送信し、出力させることができる。
【００３０】
本発明に係るデジタル放送受信システムは、上記した課題を解決するために、上記送信部、上記選択手段、上記生成手段、上記送信指示手段、上記受け付け部、および上記出力制御手段を備えたデジタル放送受信装置と、デジタル放送受信装置から送信された音声信号を受信し、該音声信号に基づき出力処理する出力装置とを備えることを特徴とする。
【００３１】
上記構成によると、本発明に係るデジタル放送受信システムは、デジタル放送の受信を妨害しない送信周波数の候補をできるだけ多く提供することができるとともに、デジタル放送の受信を妨害しない送信周波数で搬送波を出力装置に送信し、該出力装置で出力処理することができる。
【００３２】
よって、本発明に係るデジタル放送受信システムは、デジタル放送波の受信を妨害することなく、搬送波を出力装置に送信することができるという効果を奏する。
【００３３】
本発明に係るデジタル放送受信装置の制御方法は、上記した課題を解決するために、地上デジタル放送の放送波であるデジタル放送波を受信するデジタル放送受信装置の制御方法であって、所定の周波数範囲における任意の送信周波数で周波数変調した搬送波を送信する送信ステップと、上記デジタル放送を受信している地域において該デジタル放送を受信可能とするチャンネルの情報であるチャンネル情報と、各チャンネルに割り当てられた周波数範囲と該周波数範囲を妨害する上記送信周波数との対応関係を示す妨害情報とに基づき、デジタル放送波を受信できるチャンネルに割り当てられた周波数範囲を妨害しない上記送信周波数を、上記所定の周波数範囲から選択する選択する選択ステップとを含み、上記送信ステップでは、上記選択ステップにて選択された送信周波数で上記搬送波を送信することを特徴とする。
【００３４】
上記方法では、上記選択ステップにおいて、上記チャンネル情報と上記妨害情報とに基づき、デジタル放送波を受信できるチャンネルに割り当てられた周波数範囲を妨害しない送信周波数を、上記所定の周波数範囲から選択することができる。
【００３５】
すなわち、デジタル放送を受信するために設定されたすべてのチャンネルにおいて妨害が生じない周波数のみならず、当該デジタル放送受信装置が所在する地域においてデジタル放送を受信できないチャンネルの周波数範囲を妨害する周波数も、送信周波数の候補として加えることができる。
【００３６】
このように、本発明に係るデジタル放送受信装置の制御方法は、デジタル放送の受信を妨害しない送信周波数の候補をできるだけ多く提供することができるため、上記搬送波を送信するための送信周波数の選択の幅を広げることができる。
【００３７】
このため、例えば、上記送信ステップと同様なステップによって、搬送波を送信する他の装置が複数台周囲に存在する場合であっても、互いに妨害しないような送信周波数を容易に選択でき搬送波を効率的に送信することができる。
【００３８】
したがって、本発明に係るデジタル放送受信装置の制御方法は、デジタル放送の受信を妨害することなく、効率的に搬送波を送信することができるという効果を奏する。
【００３９】
なお、上記デジタル放送受信装置は、コンピュータによって実現してもよく、この場合には、コンピュータを上記各手段として動作させることにより上記デジタル放送受信装置をコンピュータにて実現させるデジタル放送受信装置の制御プログラム、およびそれを記録したコンピュータ読み取り可能な記録媒体も、本発明の範疇に入る。
【発明の効果】
【００４０】
本発明に係るデジタル放送受信装置は、以上のように、地上デジタル放送の放送波であるデジタル放送波を受信するデジタル放送受信装置であって、所定の周波数範囲における任意の送信周波数で周波数変調した搬送波を送信する送信部と、上記デジタル放送波を受信している地域において該デジタル放送を受信可能とするチャンネルの情報であるチャンネル情報と、各チャンネルに割り当てられた周波数範囲と該周波数範囲を妨害する上記送信周波数との対応関係を示す妨害情報とに基づき、デジタル放送波を受信できるチャンネルに割り当てられた周波数範囲を妨害しない送信周波数を、上記所定の周波数範囲から選択する選択手段とを備え、上記送信部は、上記選択手段によって選択された送信周波数で上記搬送波を送信することを特徴とする。
【００４１】
したがって、本発明に係るデジタル放送受信装置は、デジタル放送の受信を妨害することなく、効率的に搬送波を送信することができるという効果を奏する。
【００４２】
本発明に係るデジタル放送受信システムは、以上のように、上記送信部、上記選択手段、上記生成手段、上記送信指示手段、上記受け付け部、および上記出力制御手段を備えたデジタル放送受信装置と、デジタル放送受信装置から送信された音声信号を受信し、該音声信号に基づき出力処理する出力装置とを備えることを特徴とする。
【００４３】
よって、本発明に係るデジタル放送受信システムは、デジタル放送波の受信を妨害することなく、搬送波を出力装置に送信することができるという効果を奏する。
【００４４】
本発明に係るデジタル放送受信装置の制御方法は、以上のように、地上デジタル放送の放送波であるデジタル放送波を受信するデジタル放送受信装置の制御方法であって、所定の周波数範囲における任意の送信周波数で周波数変調した搬送波を送信する送信ステップと、上記デジタル放送を受信している地域において該デジタル放送を受信可能とするチャンネルの情報であるチャンネル情報と、各チャンネルに割り当てられた周波数範囲と該周波数範囲を妨害する上記送信周波数との対応関係を示す妨害情報とに基づき、デジタル放送波を受信できるチャンネルに割り当てられた周波数範囲を妨害しない上記送信周波数を、上記所定の周波数範囲から選択する選択する選択ステップとを含み、上記送信ステップでは、上記選択ステップにて選択された送信周波数で上記搬送波を送信することを特徴とする。
【００４５】
したがって、本発明に係るデジタル放送受信装置の制御方法は、デジタル放送の受信を妨害することなく、効率的に搬送波を送信することができるという効果を奏する。
【発明を実施するための最良の形態】
【００４６】
本発明の一実施形態について図１ないし図１０に基づいて説明すると以下の通りである。すなわち、本実施の形態に係る再生システム１００は、図２に示すようにワンセグメント形式による地上デジタル放送の放送波を受信する携帯通信装置１と、該携帯通信装置１から音声信号を受け取り、出力するＦＭオーディオ装置２とを備えてなる構成である。この図２は、本発明の実施形態を示すものであり、再生システム１００の概略構成を示す図である。
【００４７】
なお、地上デジタル放送の１ｃｈ分（１３セグメント）のうち、中心の１セグメントを携帯通信装置（携帯電話機）専用として放送されており、この地上デジタル放送を、ワンセグＴＶと称する。
【００４８】
この再生システム１００では、携帯通信装置（デジタル放送受信装置）１が、ワンセグＴＶ・ＦＭＴＸ共用アンテナ３を介して、ワンセグＴＶを受信したり、受信したワンセグＴＶの放送波に含まれる音声信号をＦＭ周波数に変調してＦＭオーディオ装置（出力装置）２に送信したりすることができる。より具体的には、携帯通信装置１は、上記ワンセグＴＶ・ＦＭＴＸ共用アンテナ３を介して、４７０〜７７０ＭＨｚの周波数範囲でワンセグＴＶを受信する。また、上記ワンセグＴＶ・ＦＭＴＸ共用アンテナ３を介して、７６〜９０ＭＨｚの周波数範囲の搬送波によって音声信号をＦＭオーディオ装置２に送信する。
【００４９】
一方、ＦＭオーディオ装置２は、携帯通信装置１から音声信号を受信すると、自装置が備えるスピーカ（不図示）から、この音声信号に基づく出力処理する。
【００５０】
（携帯通信装置のハードウェア構成）
ここで、上記携帯通信装置１のハードウェア構成について図３を参照して説明する。なお、この図３は、本実施の形態に係る携帯通信装置１のハードウェア構成を示すブロック図である。
【００５１】
図３に示すように、本実施の形態に係る携帯通信装置１は、ワンセグＴＶ・ＦＭＴＸ共用アンテナ３、通信用アンテナ４、無線部５、信号処理部６、表示制御部７、スピーカ８、マイク９、表示部１０、操作部（受け付け部）１１、第１メモリ１２、第２メモリ１３、および主制御部１４を備えてなる構成である。なお、上記表示制御部７と後述する入出力制御部６３とによって出力制御手段を実現する。
【００５２】
ここで、第１メモリ１２は、バッファ的な役割を果たすものであり、例えば、ＲＡＭ（random access memory）等によって実現される。また、第２メモリ１３は、恒久的にデータを蓄積する役割を果たすものであり、例えば、フラッシュメモリ等によって実現できる。なお、携帯通信装置１の記憶装置である第１メモリ１２および第２メモリ１３は、携帯通信装置１の仕様に応じて構成を適宜変更可能であり、例えば、一体として設けてもよい。
【００５３】
このように各部を備える携帯通信装置１は、以下に示すような、通話機能、テレビ再生機能、および音声信号転送機能などを実現することができる。
【００５４】
まず、携帯通信装置１では、無線部５が備える通信制御部２０による送受信制御のもとに、通信用アンテナ４を介して基地局（不図示）との信号の送受信を行う。そして、信号処理部６が通信制御部２０で送受信される信号に所定の信号処理を施す。これによって、基地局を介して相手側装置から送信されてくる音声をスピーカ８から出力したり、マイク９から入力される音声を、基地局を介して相手側装置に送信したりするようになっている。このようにして、携帯通信装置１は、通話機能を実現する。
【００５５】
また、携帯通信装置１では、無線部５が備えるデジタル放送受信部２１による受信制御のもとに、ワンセグＴＶ・ＦＭＴＸ共用アンテナ３を介して、ワンセグ形式による地上デジタル放送の放送波を受信する。デジタル放送受信部２１は、地上デジタル放送の放送波を受信すると、これを復調する。そして、復調して得たデータをＭＰＥＧ−２システムで規定されたＴＳ（Transport Stream）として、信号処理部６に出力する。信号処理部６では、ＴＳとして多重化された各々の信号を出力信号群として再生し、その結果、音声信号をＦＭトランスミッタ（送信部）２２に送信するとともに、映像信号またはデータ放送信号を表示制御部７に送信する。表示制御部７は、信号処理部６から受信した映像信号またはデータ放送信号に基づく表示を、表示部１０において行うように制御する。このようにして、携帯通信装置１は、テレビ再生機能を実現する。なお、音声信号を自装置が備えるスピーカ８から出力させる場合は、信号処理部６は、該音声信号をＦＭトランスミッタ２２に送信せずこのスピーカ８に送信する。
【００５６】
上記ＦＭトランスミッタ２２は、信号処理部６から音声信号を受信すると、ワンセグＴＶ・ＦＭＴＸ共用アンテナ３を制御して、ＦＭオーディオ装置２に対してこの音声信号を送信する。
【００５７】
ＦＭオーディオ装置２では、携帯通信装置１から音声信号を受信すると、受信したこの音声信号に基づき出力する。このようにして、携帯通信装置１は、音声信号転送機能を実現する。なお、これらテレビ再生機能および音声信号転送機能を実現する構成の詳細は後述する。
【００５８】
なお、携帯通信装置１が有する機能は、上記した通話機能、テレビ再生機能、および音声信号転送機能に限定されるものではない。例えば、撮像部を備え、該撮像部によって撮影を行うカメラ機能、電子メールやＷｅｂページなど、テキストデータ、画像データ、あるいはＨＴＭＬデータを送受信するメール機能など他の機能が備えられた構成であってもよい。
【００５９】
また、上記した無線部５、信号処理部６、および表示制御部７は、主制御部１４からの各種制御指示に応じて制御されている。
【００６０】
（音声信号転送機能に関する携帯通信装置のハードウェア構成）
次に、携帯通信装置１が有する、上記テレビ再生機能および音声信号転送機能に関する、携帯通信装置１のハードウェア構成について、上記した図３および図４を参照してより詳細に説明する。なお、この図４は、テレビ再生機能および音声信号転送機能に関する携帯通信装置１のハードウェア構成を説明するブロック図である。なお、この図４では、説明の便宜上、ワンセグＴＶ・ＦＭＴＸ共用アンテナ３において、ワンセグ形式のデジタル放送波を受信するアンテナをアンテナ３ａ、音声信号をＦＭ信号に変調して送信するアンテナをアンテナ３ｂとする。
【００６１】
図４に示すように、上記デジタル放送受信部２１は、チューナ３０および復調装置３１を備えてなる構成である。上記復調装置３１は、例えばＯＦＤＭ変復調方式により変調された放送信号を、チューナ３０を介して受信し復調するものである。復調装置３１は、復調した放送信号を、ＴＳで信号処理部６に送信する。また、この復調装置３１は、主制御部１４からの指示（コントロール信号）に応じて、受信可能な地上デジタル放送の放送チャンネル（ｃｈ）をサーチ（検索）するものでもある。
【００６２】
信号処理部６は、ＴＳデマルチプレクサ（ＤＥＭＵＸ）５０および音声信号用Ｄ／Ａ変換機（ＡＵＤＩＯ  ＤＡＣ；digital to analog converter）５１を備えてなる構成である。上記復調装置３１から放送信号（ＴＳ）を受信すると、ＴＳ  ＤＥＭＵＸ５０が、ＴＳとして多重化された各々の信号を出力信号群として再生する。そして、その結果得られた音声信号をＡＵＤＩＯ  ＤＡＣ５１に、映像信号またはデータ放送信号を表示制御部７に送信する。ＡＵＤＩＯ  ＤＡＣ５１は、ＴＳ  ＤＥＭＵＸ５０から音声信号を受信すると、該音声信号をデジタル信号からアナログ信号に変換する。そして、ＡＵＤＩＯ  ＤＡＣ５１は、アナログ信号に変換した音声信号をＦＭトランスミッタ２２に出力する。
【００６３】
上記ＦＭトランスミッタ２２では、搬送波の周波数を、入力された音声信号に応じて変調しており、リミッタ４０、プリエンファシス４１、ループフィルタ（ＬＰＦ）４２、電圧制御発振器（ＶＣＯ；voltage controlled oscillator)４３、ＰＬＬ(phase locked loop)４４、ループフィルタ（ＬＰＦ）４５、１／２分周器（１／２）４６、および電力増幅回路（ＰＡ；Power Amplifier）４７を備えてなる構成である。そして、これら各回路は、主制御部１４からコントロール信号を受け付けたコントロールロジック回路４８によって制御されるように構成されている。
【００６４】
ＦＭトランスミッタ２２では、まず、リミッタ４０によってＡＭ成分を除去し、プリエンファシス４１によって信号の高域を強調する。そして、ＬＰＦ４２を通じてＶＣＯ４３に制御電圧を出力する。ここで、ＬＰＦ４２は、入力された信号の高周波成分・雑音を除去し、ＶＣＯ制御電圧を作るものであり、基準周波数と発振周波数との位相差に応じた電圧の入力を受け、制御電圧をＶＣＯ４３に出力する。ＶＣＯ４３は、制御電圧の変化により発振周波数が変化する自励発信器であり、基準周波数と発振周波数とそれらの位相が常に同期するように制御電圧でコントロールされる。
【００６５】
次に、ＰＬＬ４４は、コントロールロジック回路４８から受け付けた基準信号の周波数と、上記ＶＣＯ４３からの出力信号の周波数とを比較し、差があればＶＣＯ４３への印加電圧を制御して差をなくすというように動作する。
【００６６】
上記比較結果に差がある場合、ＰＬＬ４４は、その差（位相誤差）に対応するような値の電流（平均直流電流）をＬＰＦ４５に出力する。このＬＰＦ４５では、ＰＬＬ４４からの出力電流とそのインピーダンスとからＶＣＯ４３への制御用電圧が生成される。
【００６７】
一方、上記差が無い場合、ＶＣＯ４３は、出力信号を１／２分周器４６に出力する。１／２分周器４６は、上記出力信号を１／２に分周してＰＡ４７に出力すると、ＰＡ４７は、この出力信号の出力を増大させてアンテナ３ｂを通じてＦＭオーディオ装置２に送信する。
【００６８】
以上のように構成された本実施の形態に係る携帯通信装置１では、アンテナ３ａにおいて、ワンセグＴＶの受信を妨害しない周波数を選択し、音声信号のＦＭ電波をＦＭオーディオ装置２に送信するようになっている。なお、携帯通信装置１からＦＭオーディオ装置２に対して音声信号を送信する際に利用する周波数を送信周波数と称する。
【００６９】
ここで、上記ＦＭ電波の送信周波数の選択に関する処理の詳細について説明する。
【００７０】
まず、ワンセグＴＶのＴＶ電波とＦＭトランスミッタ２２のＦＭ電波との関係について説明する。ワンセグＴＶでは、１３ｃｈ〜６２ｃｈ（４７０ＭＨｚ〜７７０ＭＨｚ）の間で、６ＭＨｚスパンで放送波が配局されている。一方、ＦＭトランスミッタ２２では、その中心周波数がｆ＝７６．０ＭＨｚ〜９０．０ＭＨｚの間で、０．１ＭＨｚ間隔でＦＭ電波を送出することができるようになっている。
【００７１】
このため、両者の関係において、ＦＭトランスミッタ２２の中心周波数の６倍〜１１倍の高調波がワンセグＴＶの受信を妨害することとなる。そこで、ワンセグＴＶの全てのチャンネル（１３ｃｈ〜６２ｃｈ）について、ワンセグＴＶの受信を妨害しないＦＭ電波を考慮すると、図５に示すように、１６の周波数（図５の判定の項目において丸が付されている周波数）に限定される。なお、この図５は、ＦＭトランスミッタ２２からＦＭオーディオ装置２に対して送信される音声の送信周波数と、該送信周波数の上側と下側との周波数に対応する６次〜１１次の高調波によって妨害をうけるワンセグＴＶの受信チャンネルとの対応関係を示す表である。
【００７２】
なお、上記図５では、携帯通信装置の製造メーカの各種仕様の差異により、送信周波数の高次（６〜１１次）の高調波のみならず、ワンセグＴＶ受信時に生じるイメージ周波数の高次の高調波も考慮している。
【００７３】
ところで、受信できるワンセグＴＶのチャンネル数は、該地上デジタル放送を視聴する地域に応じて決められている。例えば、図６に示すように東京都では、１３ｃｈ〜６２ｃｈのうち２０ｃｈ〜２７ｃｈが視聴可能なチャンネル数であり、それ以外は視聴できないようになっている。また、広島では、１４ｃｈ、１５ｃｈ、１８ｃｈ、１９ｃｈ、２２ｃｈ、および２３ｃｈが受信可能なワンセグＴＶのチャンネルである。なお、この図６は、地域別に割り当てられたワンセグＴＶの受信チャンネル群の一例を示す表である。
【００７４】
このため、ワンセグＴＶのＴＶ電波を妨害しないＦＭ電波を考慮する場合、全てのワンセグＴＶの受信チャンネルについて考慮する必要はなく、ワンセグＴＶを受信する地域で受信可能なチャンネルのみについて考慮すればよい。
【００７５】
そこで、本実施の形態に係る携帯通信装置１では、ワンセグＴＶを視聴する地域で受信できるチャンネルをそれぞれ把握し、該チャンネルにおいてのみＴＶ電波を妨害しないＦＭ電波の周波数の候補を提供するように構成されている。
【００７６】
（周波数決定処理）
以下、図１を参照して、利用可能なＦＭ電波の周波数候補の提供と、該周波数候補からの送信周波数の選択とに関する周波数決定処理について説明する。なお、この図１は、本発明の実施形態を示すものであり、周波数決定処理に係る携帯通信装置１のソフトウェア構成を示すブロック図である。
【００７７】
図１に示すように、本実施の形態に係る携帯通信装置１は、主制御部１４が機能ブロックとしてチャンネル情報取得部（生成手段）６１、周波数選択部（選択手段）６２、入出力制御部６３、および周波数決定部（送信指示手段）６４を備えてなる構成である。なお、これら各部は、主制御部１４が、例えばＣＰＵ等によって実現できる場合、該ＣＰＵが第２メモリ等に記憶されたプログラム（不図示）をＲＡＭ等によって実現できる第１メモリに読み出し実行することにより実現できる。また、本実施の形態に係る携帯通信装置１では、第２メモリ１３が、チャンネル情報７１と高調波妨害情報テーブル（妨害情報）７２とを記憶している。
【００７８】
上記チャンネル情報取得部６１は、デジタル放送受信部２１が有する復調装置３１に対して、携帯通信装置１を利用する地域において受信可能なワンセグＴＶのチャンネル番号を探索するように指示し、該チャンネル番号の情報を取得するものである。チャンネル情報取得部６１は、上記チャンネル番号の情報を、チャンネル情報７１として第２メモリ１３に記憶させる。また、上記チャンネル情報取得部６１は、不図示のチャンネル選択回路を制御して、チューナ３０におけるチャンネル設定を変更するものでもある。
【００７９】
チャンネル情報取得部６１は、チャンネル情報７１を第２メモリ１３に記憶させると、周波数選択部６２に音声信号を送信するために利用可能な送信周波数の候補を選択するように指示する。
【００８０】
周波数選択部６２は、チャンネル情報取得部６１からの指示に応じて、第２メモリ１３に記憶されているチャンネル情報７１と高調波妨害情報テーブル７２とを参照して、音声信号を送信するために利用可能な送信周波数の候補を選択するものである。なお、第２メモリ１３に記憶されているチャンネル情報７１は、携帯通信装置１を利用する地域において受信可能なワンセグＴＶのチャンネル番号を示す情報であり、上述したようにチャンネル情報取得部６１によって記録される情報である。具体的には、このチャンネル情報７１は、図７に示すように全ての受信チャンネル（１３ｃｈ〜６２ｃｈ）について、ワンセグＴＶの受信の有無が記録される。また、ワンセグＴＶを受信可能なチャンネルでは、受信した放送信号から抽出した該放送信号のモード、ガードインタバール期間等の情報が対応付けて記録される。なお、この図７は、本実施の形態に係るチャンネル情報７１に含まれる情報の一例を示す図である。
【００８１】
一方、高調波妨害情報テーブル７２は、ワンセグＴＶの各受信チャンネルにおいて妨害となるＦＭトランスミッタ２２からの送信周波数を示す表である。より具体的には、図８に示すように、ワンセグＴＶの受信チャンネルと、その中心周波数と、該受信チャンネルにおいて妨害を与える可能性のあるＦＭトランスミッタ２２の送信周波数との対応関係を示す。
【００８２】
上記周波数選択部６２は、音声信号をＦＭオーディオ装置２に送信するために利用する送信周波数の候補を選択すると、該送信周波数候補の情報を入出力制御部６３に送信する。そして、周波数選択部６２は、この選択した送信周波数候補の情報を表示部１０に表示させるように入出力制御部６３に指示する。
【００８３】
入出力制御部６３は、周波数選択部６２からに指示に応じて、表示制御部７に指示して、選択可能な送信周波数候補の情報を表示部１０に表示するように制御するものである。また、入出力制御部６３は、操作部１１を介して入力された情報を受け付けるものでもある。この操作部１１は、例えば、テンキー、操作ボタン、カーソルキー等の入力手段によって実現することができ、この操作部１１を介して入力される情報としては、例えば、送信周波数候補の中からいずれの送信周波数を選択して音声信号を送信するかに関する指示情報が含まれる。
【００８４】
入出力制御部６３は、操作部１１から、ユーザにより選択された送信周波数の情報を受け付けると、該情報を周波数決定部６４に送信する。
【００８５】
周波数決定部６４は、入出力制御部６３から受信した、上記選択された周波数の情報に基づき、音声信号を送信する周波数の設定を変更するようにコントロールロジック回路４８に指示するものである。周波数決定部６４からの指示に応じて、このコントロールロジック回路４８は、ＶＣＯ４３を制御し、選択された周波数でＦＭオーディオ装置２に音声信号を送信できるように設定する。
【００８６】
以上のように構成されている携帯通信装置１では、図９に示す処理ステップによって周波数決定処理を実行する。なお、図９は、本発明の実施形態を示すものであり、携帯通信装置１における周波数決定処理の一例を示すフローチャートである。
【００８７】
図９に示すように、まず、テレビ再生機能および音声信号転送機能の実行指示の入力を、操作部１１が受け付けると、本実施の形態に係る携帯通信装置１は、チャンネル検索処理（ステップＳ１、これ以降Ｓ１と称する）を実行し、当該携帯通信装置１を利用する地域においてワンセグＴＶを受信できるチャンネルを把握する。このように、ワンセグＴＶを受信できるチャンネルを把握すると、携帯通信装置１は、音声信号を送信するために利用する送信周波数を決定する送信周波数選択処理を実行する（選択ステップ）（Ｓ２）。そして、送信周波数が選択されると、携帯通信装置１は、選択した送信周波数で音声信号をＦＭオーディオ装置２に対して送信する（送信ステップ）（Ｓ３）。
【００８８】
（チャンネル検索処理）
ここで、図９のステップＳ１に示すチャンネル検索処理に関する詳細について図１０を参照して説明する。なお、図１０は、本発明の実施形態を示すものであり、携帯通信装置１におけるチャンネル検索処理の一例を示すフローチャートである。
【００８９】
テレビ再生機能および音声信号転送機能の実行指示の入力を操作部１１が受け付けると、この指示情報を入出力制御部６３に送信する。入出力制御部６３は、この指示情報を受信すると、チャンネル情報取得部６１に送信し、受信可能なチャンネルをサーチするように指示する。
【００９０】
チャンネル情報取得部６１は、入出力制御部６３からの指示に応じて、不図示のチャンネル選択回路を制御し、チューナ３０のチャンネルを設定するように指示する。このようにチャンネル情報取得部６１からの指示により、チューナ３０は、特定のチャンネルに設定し（ステップＳ１１、これ以降ではＳ１１のように称する）、受信した信号を復調装置３１に出力する。
【００９１】
復調装置３１は、チューナ３０から放送信号を受信すると、この信号に対する復調処理を行う（Ｓ１２）。そして、復調装置３１は、フレーム同期の確立の有無により、設定されたチャンネルにおけるデジタル放送波の有無を確認する。すなわち、復調装置３１では、チューナ３０から入力された信号がワンセグＴＶの放送信号である場合、該信号に含まれるＴＭＣＣ信号等を参照して、各フレームの先頭、すなわち、フレームを構成するシンボルのうちの先頭シンボルを特定する、いわゆるフレーム同期を確立することができる（Ｓ１３）。そして、このようにフレーム同期が確立される場合（Ｓ１３において「ＹＥＳ」の場合）、チャンネル情報取得部６１は、現在チューナ３０において設定しているチャンネルで、ワンセグＴＶを受信できるものと判定する。そして、チャンネル情報取得部６１は、チューナ３０から受信した信号に含まれるＴＭＣＣ信号等を参照して、モードとガードインタバール（ＧＩ）期間長とを読み出し（Ｓ１４）、信号を受信しているチャンネルと対応付けて、第２メモリ１３において、チャンネル情報７１として記録する（Ｓ１５）。
【００９２】
一方、復調装置３１が、上記フレーム同期を確立させることができなかった場合、チューナ３０において設定しているチャンネルで、ワンセグＴＶを受信できないものとして（チャンネル情報７１として）第２メモリ１３に記録する（Ｓ１６）。
【００９３】
携帯通信装置１では、このステップＳ１１〜Ｓ１６までの各処理を、チューナ３０で設定できる全てのチャンネル（１３ｃｈ〜６２ｃｈ）に対して続けられる（Ｓ１７）。
【００９４】
以上のように、本実施の形態に係る携帯通信装置１では、チャンネル情報７１として、チャンネルごとにワンセグＴＶの受信の有無を記録することができる。すなわち、図７に示すように、携帯通信装置１は、受信チャンネルとワンセグＴＶの受信の有無を示す情報とを対応付けて第２メモリ１３に記憶することができる。このため、携帯通信装置１を利用する地域において、ワンセグＴＶを受信できるチャンネルを把握することができる。
【００９５】
（送信周波数選択処理および音声信号送信処理）
次に、図９のステップＳ２、３に示す送信周波数決定処理および音声信号送信処理について説明する。上記したチャンネル検索処理により、チャンネル情報７１を得ると、チャンネル情報取得部６１は、周波数選択部６２に対して、音声信号の送信周波数として利用できる送信周波数の候補を選択するように指示する。
【００９６】
例えば、本実施の形態に係る携帯通信装置１が広島地区にて利用されるものとすると、上記チャンネル情報７１では、１４、１５、１８、１９、２２、２３ｃｈにて地上デジタル放送の放送波を受信できることが示されることとなる。このため、１３〜６２ｃｈにおいて、１４、１５、１８、１９、２２、２３ｃｈ以外の受信できないチャンネルに対して妨害となる周波数も、上記音声信号の送信周波数として利用することができる。
【００９７】
つまり、図５に示す１６の周波数に加えて、例えば、１３ｃｈのワンセグＴＶの受信を妨害する周波数（下側：７８．８ＭＨｚ，上側：７８．９ＭＨｚ）などの周波数もさらに利用することができる。このため、本実施の形態に係る携帯通信装置１では、ワンセグＴＶの受信を妨害する周波数を除くとともに、音声信号を送信するための送信周波数とし選択できる周波数候補を最大限提供することができる。
【００９８】
以上のようにして音声信号を送信するための送信周波数として選択できる周波数候補を選択すると、この選択した送信周波数候補の情報を周波数選択部６２は、入出力制御部６３に送信する。入出力制御部６３は、周波数選択部６２からこの送信周波数候補の情報を受信すると、該情報を表示部１０に表示させるように表示制御部７に指示する。
【００９９】
表示制御部７は、入出力制御部６３からの指示に応じて、表示部１０に上記選択できる送信周波数候補の情報を表示させ、音声信号を送信するために利用する送信周波数の決定を促す。
【０１００】
この表示に対して、操作部１１は、送信周波数候補の中から選択された送信周波数の情報をユーザから受け付けると、該受け付けた情報を入出力制御部６３に送信する。一方、入出力制御部６３は、操作部１１から受信した情報を周波数決定部６４に送信する。周波数決定部６４は、入出力制御部６３から、ユーザが選択した送信周波数の情報を受信すると、この受信した情報に基づき音声信号を送信するために利用する送信周波数を決定する。
【０１０１】
以上のようにして、音声信号を送信する送信周波数が決定されると、周波数決定部６４は、この送信周波数で音声信号を送信するようにコントロールロジック回路４８に指示する。コントロールロジック回路４８は、この周波数決定部６４からの指示に応じて、ＦＭトランスミッタ２２が備えるＶＣＯ４３に対して、この決定された周波数で音声信号を送信するよう設定するように指示する。
【０１０２】
このようにして、本実施の形態に係る携帯通信装置１は、ワンセグＴＶの受信を妨害しない周波数にて音声信号をＦＭオーディオ装置２に対して送信することができる。
【０１０３】
以上のように、本実施の形態に係る携帯通信装置１では、チャンネル情報取得部６１により、上記チャンネル情報７１が生成されるため、当該携帯通信装置１が所在する地域においてワンセグＴＶを受信できるチャンネルを把握することができる。
【０１０４】
また、周波数選択部６２が、上記チャンネル情報７１と、各チャンネルにおけるワンセグＴＶの受信妨害となる送信周波数の情報を含む高調波妨害情報テーブル７２とによって、当該携帯通信装置１が所在する地域においてワンセグＴＶの受信を妨害しない上記送信周波数の候補を選択することができる。
【０１０５】
すなわち、ワンセグＴＶを受信するために設定されたすべてのチャンネルにおいて妨害が生じない周波数のみならず、当該携帯通信装置１が所在する地域においてワンセグＴＶを受信できないチャンネルの周波数範囲を妨害する周波数も、送信周波数の候補として加えることができる。
【０１０６】
このように、本実施の形態に係る携帯通信装置１は、ワンセグＴＶの受信を妨害しない送信周波数の候補をできるだけ多く提供することができるため、上記音声信号を送信するために利用できる送信周波数の選択の幅を広げることができる。
【０１０７】
このため、上記携帯通信装置１と同様に音声信号をＦＭオーディオ装置２に送信する他の装置が複数台周囲に存在する場合であっても、互いに妨害しないような送信周波数を容易に選択でき搬送波を効率的に送信することができる。
【０１０８】
したがって、本発明に係るデジタル放送受信装置の制御方法は、デジタル放送の受信を妨害することなく、効率的に搬送波を送信することができる。
【０１０９】
なお、本実施の形態に係る携帯通信装置１では、チャンネル検索処理を実行することによりチャンネル情報７１を作成する構成であった。そして、このチャンネル情報７１を作成することにより、携帯通信装置１が利用されている地域において、ワンセグＴＶを受信できるチャンネルを把握することができる構成であった。
【０１１０】
しかしながら、このような構成に限定されるものではなく、下記のように構成することでワンセグＴＶを受信できるチャンネルを把握する構成としてもよい。
【０１１１】
すなわち、第２メモリ１３において、図６に示すような各地域においてワンセグＴＶを受信できるチャンネルの情報を予め記憶しておく。そして、ユーザから当該携帯通信装置１を利用する地域に関する情報を操作部１１で受け付けると、この情報をチャンネル情報取得部６１に送信する。チャンネル情報取得部６１は、この受け付けた上記地域に関する情報と、予め記憶している各地域ごとのワンセグＴＶの受信可能チャンネルに関する情報とに基づき、ワンセグＴＶを受信可能とするチャンネルを把握する。例えば、ユーザから携帯通信装置１を利用する地域に関する情報として、「広島」という情報を受け付けた場合、ワンセグＴＶを受信可能とするチャンネルは、１４、１５、１８、１９、２２、２３ｃｈとなる。
【０１１２】
このように構成される場合、１３ｃｈ〜６２ｃｈまでの全てのチャンネルに対してチャンネル検索処理を実行する必要がないため、音声信号を送信することができる周波数の選択を迅速に行うことができる。
【０１１３】
ただし、ワンセグＴＶを受信できるチャンネルを確実に検索するためには、本実施の形態に係る携帯通信装置１のように、全てのチャンネルに対して「チャンネル検索処理」を実行する構成の方が好ましい。
【０１１４】
また、上記した「送信周波数決定処理および音声信号送信処理」では、選択できる周波数候補の情報を表示部１０に表示してユーザに提供し、該ユーザにより送信周波数を決定させる構成であった。しかしながらこれに限定されるものではなく、例えば、ユーザが上記送信周波数を、直接操作部１１により入力する構成とし、ユーザが入力した送信周波数がワンセグＴＶの受信を妨害するものであるとき、他の周波数を入力するように促す構成であってもよい。例えば、ユーザが入力した送信周波数の高調波がワンセグＴＶの受信を妨害するものである場合、「この地域では、この周波数は使用でいません。他の周波数を選択してください」等の表示により別の周波数の入力を促す。
【０１１５】
すなわち、操作部１１が送信周波数の入力を受け付けると、この情報は、入出力制御部６３が受信する。入出力制御部６３は、この入力された送信周波数の情報を受信すると、該送信周波数が、上記周波数選択部６２によって選択された送信周波数の候補に含まれるか否か判断する。そして、入力された送信周波数が、周波数選択部６２により選択された送信周波数の候補に含まれない場合、入出力制御部６３は、表示制御部７を制御して、表示部１０に、別の送信周波数の入力を促す旨の表示を行う。
【０１１６】
さらにまた、本実施の形態に係る携帯通信装置１は、上記した「送信周波数決定処理および音声信号送信処理」を下記のようにして実行する構成としてもよい。
【０１１７】
すなわち、上記周波数選択部６２によって選択された送信周波数候補に関する情報を、入出力制御部６３の代わりに周波数決定部６４が受信する。そして、この送信周波数候補に関する情報の中から任意の送信周波数を周波数決定部６４が選択し、コントロールロジック回路４８に対して、この選択した送信周波数で音声信号を送信するように指示する。このように構成する場合、ユーザに送信周波数の選択を促す処理を省略することができユーザの操作負担を軽減させることができる。
【０１１８】
また、本実施の形態に係る携帯通信装置１では、ワンセグＴＶの受信を妨害しない周波数を考慮し、使用できる周波数を決定する構成となっていたが、さらにワンセグＴＶを受信するエリア（地域）で、ＦＭ局により配信されるＦＭ放送の周波数も考慮し、音声信号の送信に使用できる周波数を決定する構成としてもよい。
【０１１９】
このように構成する場合、携帯通信装置１は、上記した構成において、第２メモリ１３に、さらに、ワンセグＴＶを受信するエリアにおけるＦＭ放送局の周波数に関する情報を保持しておく。例えば、このＦＭ放送局の周波数に関する情報として、各地域ごとのＦＭ放送の周波数のリストを保持しておく。
【０１２０】
つまり、ワンセグＴＶを受信できるチャンネルの組み合わせによって、図６に示すようにワンセグＴＶを視聴する地域が特定される。そこで、周波数選択部６２が、上述のようにワンセグＴＶの受信を妨害しない送信周波数の候補を選択すると、該周波数選択部６２は、チャンネル情報７１を参照して当該携帯通信装置１の所在地域を特定する。
【０１２１】
周波数選択部６２は、上記地域を特定すると、上記した各地域ごとのＦＭ放送の周波数のリストを参照して、特定した地域におけるＦＭ放送局の周波数を特定する。このように、ＦＭ放送局の周波数を特定すると、選択した上記送信周波数候補の中から上記ＦＭ放送の周波数と一致する周波数を除く。そして、この送信周波数候補からＦＭ放送の周波数を除いた結果得られる情報を、音声信号の送信に選択できる周波数に関する情報として、入出力制御部６３および表示制御部７を介して表示部１０に表示させる。
【０１２２】
このように、さらにＦＭ放送が配信される周波数まで考慮し、送信周波数の候補を提供する構成の方が、このＦＭ放送の周波数によって、音声信号の送信が妨げられることを防ぐことができる点で有利である。
【０１２３】
また、本実施の形態に係る携帯通信装置１では、携帯通信装置１を利用する地域においてワンセグＴＶを受信できるチャンネルにおいて、このワンセグＴＶの受信の妨害となる送信周波数を利用できないようにする構成であった。
【０１２４】
しかしながら、上記送信周波数候補を多数必要とならないような環境では、ワンセグＴＶの全てのチャンネル（１３ｃｈ〜６２ｃｈ）について妨害とならない、図５に示す１６の周波数（図５の判定の項目において丸が付されている周波数）を表示部１０に表示させる。そして、この表示させた送信周波数からユーザに所望の送信周波数を選択させる構成としてもよい。
【０１２５】
このように構成する場合、図５に示す１６の周波数に関する情報を予め第２メモリ１３に記憶しておき、上記した「音声信号送信処理」時に、入出力制御部６３がこの情報を読み出し、表示部１０に表示するように表示制御部７に指示することにより実現できる。
【０１２６】
また、本実施の形態に係る携帯通信装置１では、ワンセグメント形式の放送信号を受信する構成であったが、これに限定されるものではなく、例えば３セグメント形式の放送信号を受信する構成であってもよい。
【０１２７】
最後に、携帯通信装置１の各ブロック、特にチャンネル情報取得部６１、周波数選択部６２、入出力制御部６３、および周波数決定部６４は、ハードウェアロジックによって構成してもよいし、次のようにＣＰＵを用いてソフトウェアによって実現してもよい。
【０１２８】
すなわち、携帯通信装置１は、各機能を実現する制御プログラムの命令を実行するＣＰＵ（central processing unit）、上記プログラムを格納したＲＯＭ（read only memory）、上記プログラムを展開するＲＡＭ、上記プログラムおよび各種データを格納するメモリ等の記憶装置（記録媒体）などを備えている。そして、本発明の目的は、上述した機能を実現するソフトウェアである携帯通信装置１の制御プログラムのプログラムコード（実行形式プログラム、中間コードプログラム、ソースプログラム）をコンピュータで読み取り可能に記録した記録媒体を、上記携帯通信装置１に供給し、そのコンピュータ（またはＣＰＵやＭＰＵ）が記録媒体に記録されているプログラムコードを読み出し実行することによっても、達成可能である。
【０１２９】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１３０】
また、携帯通信装置１を通信ネットワークと接続可能に構成し、上記プログラムコードを、通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１３１】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１３２】
本発明に係るデジタル放送受信装置は、デジタル放送の受信を妨害しない送信周波数を選択し、この送信周波数の搬送波を送信することができる。このため、周波数変調させ音声信号等の情報を他の装置に送信する用途に広く適用できる。
【図面の簡単な説明】
【０１３３】
【図１】本発明の実施形態を示すものであり、周波数決定処理に係る携帯通信装置のソフトウェア構成を示すブロック図である。
【図２】本発明の実施形態を示すものであり、再生システムの概略構成を示す図である。
【図３】本実施の形態に係る携帯通信装置のハードウェア構成を示すブロック図である。
【図４】本発明の実施形態を示すものであり、テレビ再生機能および音声信号転送機能に関する携帯通信装置のハードウェア構成を説明するブロック図である。
【図５】本発明の実施形態を示すものであり、ＦＭトランスミッタからＦＭオーディオ装置に対して送信される音声の送信周波数と、該送信周波数の上側と下側との周波数に対応する６次〜１１次の高調波によって妨害をうけるワンセグＴＶの受信チャンネルとの対応関係を示す表である。
【図６】地域別に割り当てられたワンセグＴＶの受信チャンネル群の一例を示す表である。
【図７】本実施の形態に係るチャンネル情報に含まれる情報の一例を示す図である。
【図８】ワンセグＴＶの受信チャンネルと、その中心周波数と、該受信チャンネルにおいて妨害を与える可能性のあるＦＭトランスミッタの送信周波数との対応関係を示す表である。
【図９】本発明の実施形態を示すものであり、携帯通信装置における周波数決定処理の一例を示すフローチャートである。
【図１０】本発明の実施形態を示すものであり、携帯通信装置におけるチャンネル検索処理の一例を示すフローチャートである。
【図１１】従来技術を示すものであり、ワンセグメント形式の放送波における１チャンネル分のチャンネル帯域の構成を示す図である。
【図１２】従来技術を示すものであり、アナログ形式の放送波における１チャンネル分のチャンネル帯域の構成を示す図である。
【符号の説明】
【０１３４】
１    携帯通信装置（デジタル放送受信装置）
２    ＦＭオーディオ装置（出力装置）
７    表示制御部（出力制御手段）
１１  操作部（受け付け部）
２２  ＦＭトランスミッタ（送信部）
６１  チャンネル情報取得部（生成手段）
６２  周波数選択部（選択手段）
６３  入出力制御部（出力制御手段）
６４  周波数決定部（送信指示手段）
７１  チャンネル情報
７２  高調波妨害情報テーブル（妨害情報）
１００  再生システム（デジタル放送受信システム）
Ｓ２  送信周波数決定処理（選択ステップ）
Ｓ３  音声信号送信（送信ステップ）
【図１】
2008099216.tif 000003
【図２】
2008099216.tif 000004
【図３】
2008099216.tif 000005
【図４】
2008099216.tif 000006
【図５】
2008099216.tif 000007
【図６】
2008099216.tif 000008
【図７】
2008099216.tif 000009
【図８】
2008099216.tif 000010
【図９】
2008099216.tif 000011
【図１０】
2008099216.tif 000012
【図１１】
2008099216.tif 000013
【図１２】
2008099216.tif 000014